(57)【要約】  低次受信器によってシンボルを解釈することができるように、フレーム構造に従って複数アンテナ通信システムにおいてシンボルを送信する方法および装置が開示される。開示されるフレーム構造は、Ｎの送信アンテナのそれぞれの上において送信される少なくとも１つの長トレーニング・シンボルおよびＮ−１の追加の長トレーニング・シンボルを有するレガシ・プリアンブルを備える。レガシ・プリアンブルは、たとえば、少なくとも１つの短トレーニング・シンボル、少なくとも１つの長トレーニング・シンボル、および少なくとも１つのＳＩＧＮＡｌ場を含むＩＥＥＥ８０２．１１ａ／ｇプリアンブルとすることが可能である。Ｎの送信アンテナのそれぞれの上における長トレーニング・シンボルのそれぞれのシーケンスは、長トレーニング・シンボルのそれぞれに互いに関して位相シフトを導入することによって、時間について直交する。
2007529143.tif 000002
【特許請求の範囲】
【請求項１】
Ｎの送信アンテナを有する複数アンテナ通信システムにおいてデータを送信する方法であって、
前記Ｎの送信アンテナのそれぞれの上において、少なくとも１つの長トレーニング・シンボルおよび少なくとも１つの追加の長トレーニング・シンボルを有するレガシ・プリアンブルを送信し、前記長トレーニング・シンボルのそれぞれが、複数のサブキャリアを有し、前記サブキャリアが、複数のサブキャリアのグループにグループ化され、各サブキャリア・グループが、所与の時間間隔において異なる送信アンテナ上において送信される工程を含む、方法。
【請求項２】
前記グループ化が、ブロッキング技法に基づく、請求項１に記載の方法。
【請求項３】
前記グループ化が、インタリービング技法に基づく、請求項１に記載の方法。
【請求項４】
前記送信アンテナのそれぞれが、全体でＮの長トレーニング・シンボルを送信する、請求項１に記載の方法。
【請求項５】
所与の送信アンテナによって送信される前記サブキャリア・グループが、前記所与の送信アンテナによって送信されるＮの長トレーニング・シンボルのそれぞれについて異なる、請求項４に記載の方法。
【請求項６】
前記Ｎの送信アンテナのそれぞれによって前記Ｎの長トレーニング・シンボルを送信した後、前記Ｎの送信アンテナのそれぞれが、前記長トレーニング・シンボルの各サブキャリアを１回のみ送信している、請求項５に記載の方法。
【請求項７】
前記Ｎの送信アンテナのそれぞれの上における前記長トレーニング・シンボルのそれぞれのシーケンスが直交する、請求項１に記載の方法。
【請求項８】
前記レガシ・プリアンブルが、少なくとも１つの短トレーニング・シンボルをさらに備える、請求項１に記載の方法。
【請求項９】
前記レガシ・プリアンブルが、少なくとも１つのＳＩＧＮＡＬ場をさらに備える、請求項１に記載の方法。
【請求項１０】
前記レガシ・プリアンブルが、８０２．１１ａ／ｇプリアンブルである、請求項１に記載の方法。
【請求項１１】
前記長トレーニング・シンボルのそれぞれが、周波数領域において直交する、請求項１に記載の方法。
【請求項１２】
Ｎが２であり、前記送信工程が、少なくとも１つの長トレーニング・シンボルおよび１つの追加の長トレーニング・シンボルを有するレガシ・プリアンブルを前記２つの送信アンテナのそれぞれの上において送信する工程をさらに含み、前記長トレーニング・シンボルの前記サブキャリアの半分が、第１サブキャリア・グループにあり、前記長トレーニング・シンボルの前記サブキャリアの残りの半分が、第２サブキャリア・グループにある、請求項１に記載の方法。
【請求項１３】
低次受信器が、前記送信データを解釈することができる、請求項１に記載の方法。
【請求項１４】
前記数Ｎの送信アンテナを示す場を送信する工程をさらに含む、請求項１に記載の方法。
【請求項１５】
複数アンテナ通信システムにおける送信器であって、
少なくとも１つの長トレーニング・シンボルおよび少なくとも１つの追加の長トレーニング・シンボルを有するレガシ・プリアンブルをＮの送信アンテナのそれぞれの上において送信するためのＮの送信アンテナを備え、前記長トレーニング・シンボルのそれぞれが、複数のサブキャリアを有し、前記サブキャリアが、複数のサブキャリア・グループにグループ化され、各サブキャリア・グループが、所与の時間間隔において異なる送信アンテナ上において送信される、送信器。
【請求項１６】
前記グループ化が、ブロッキング技法に基づく、請求項１５に記載の送信器。
【請求項１７】
前記グループ化が、インタリービング技法に基づく、請求項１５に記載の送信器。
【請求項１８】
前記送信アンテナのそれぞれが、全体でＮの長トレーニング・シンボルを送信する、請求項１５に記載の送信器。
【請求項１９】
所与の送信アンテナによって送信される前記サブキャリア・グループが、前記所与の送信アンテナによって送信されるＮの長トレーニング・シンボルのそれぞれについて異なる、請求項１８に記載の送信器。
【請求項２０】
前記Ｎの送信アンテナのそれぞれによって前記Ｎの長トレーニング・シンボルを送信した後、前記Ｎの送信アンテナのそれぞれが、前記長トレーニング・シンボルの各サブキャリアを１回のみ送信している、請求項１９に記載の送信器。
【請求項２１】
前記Ｎの送信アンテナのそれぞれの上における前記長トレーニング・シンボルのそれぞれのシーケンスが直交する、請求項１５に記載の送信器。
【請求項２２】
前記レガシ・プリアンブルが、少なくとも１つのＳＩＧＮＡＬ場をさらに備える、請求項１５に記載の送信器。
【請求項２３】
前記レガシ・プリアンブルが、８０２．１１ａ／ｇプリアンブルである、請求項１５に記載の送信器。
【請求項２４】
前記長トレーニング・シンボルのそれぞれが、周波数領域において直交する、請求項１５に記載の送信器。
【請求項２５】
Ｎが２であり、前記２つの送信アンテナが、少なくとも１つの長トレーニング・シンボルおよび１つの追加の長トレーニング・シンボルを有するレガシ・プリアンブルを前記２つの送信アンテナのそれぞれの上において送信し、前記長トレーニング・シンボルのサブキャリアの半分が、第１サブキャリア・グループにあり、前記長トレーニング・シンボルのサブキャリアの残りの半分が、第２サブキャリア・グループにある、請求項１５に記載の送信器。
【請求項２６】
低次受信器が、前記送信データを解釈することができる、請求項１５に記載の送信器。
【請求項２７】
複数アンテナ通信システムにおいてＮの送信アンテナを有する送信器によって送信されたデータを少なくとも１つの受信アンテナ上で受信する方法であって、
少なくとも１つの長トレーニング・シンボルおよび前記データの送信の持続時間の表示、ならびに少なくとも１つの追加の長トレーニング・シンボルを有するレガシ・プリアンブルを前記Ｎの送信アンテナのそれぞれの上において受信し、前記長トレーニング・シンボルのそれぞれが、複数のサブキャリアを有し、前記サブキャリアが、複数のサブキャリア・グループにグループ化され、各サブキャリア・グループが、所与の時間間隔において異なる送信アンテナ上において送信される工程と、
前記表示持続時間中、遅延させる工程とを含む、方法。
【請求項２８】
前記方法が、ＳＩＳＯ受信器によって実施される、請求項２７に記載の方法。
【請求項２９】
前記表示が、８０２．１１ａ／ｇ規格に準拠するＳＩＧＮＡＬ場において送信される、請求項２７に記載の方法。
【請求項３０】
Ｎの送信アンテナを有する少なくとも１つの送信器を有する複数のアンテナ通信システムにおける受信器であって、
少なくとも１つの長トレーニング・シンボルおよび前記データの送信の持続時間の表示、ならびにＮ−１の追加の長トレーニング・シンボルを有するレガシ・プリアンブルを前記Ｎの送信アンテナのそれぞれの上において受信するための少なくとも１つの受信アンテナであって、前記長トレーニング・シンボルのそれぞれが、複数のサブキャリアを有し、前記サブキャリアが、複数のサブキャリア・グループにグループ化され、各サブキャリア・グループが、所与の時間間隔において異なる送信アンテナ上で送信される、少なくとも１つの受信アンテナと、
前記表示持続時間中、遅延させる手段とを備える、受信器。
【発明の詳細な説明】
【技術分野】
【０００１】
本出願は、それぞれ参照によって本明細書に組み込まれている、米国仮出願第６０／４８３７１９号、２００３年６月３０日出願、および米国仮出願第６０／５３８５６７号、２００４年１月２３日出願の利益を主張する。本出願は、それぞれ本明細書と同時に出願され、かつ参照によって本明細書に組み込まれている、米国特許出願、名称「Ｍｅｔｈｏｄ  ａｎｄ  Ａｐｐａｒａｔｕｓ  ｆｏｒ  Ｃｏｍｍｕｎｉｃａｔｉｎｇ  Ｓｙｍｂｏｌｓ  ｉｎ  ａ  Ｍｕｌｔｉｐｌｅ  Ｉｎｐｕｔ  Ｍｕｌｔｉｐｌｅ  Ｏｕｔｐｕｔ  Ｃｏｍｍｕｎｉｃａｔｉｏｎ  Ｓｙｓｔｅｍ  Ｕｓｉｎｇ  Ｄｉａｇｏｎａｌ  Ｌｏａｄｉｎｇ  ｏｆ  Ｓｕｂｃａｒｒｉｅｒｓ  Ａｃｒｏｓｓ  ａ  Ｐｌｕｒａｌｉｔｙ  ｏｆ  Ａｎｔｅｎｎａｓ」、米国特許出願、名称「Ｍｅｔｈｏｄｓ  ａｎｄ  Ａｐｐａｒａｔｕｓ  ｆｏｒ  Ｂａｃｋｗａｒｄｓ  Ｃｏｍｐａｔｉｂｌｅ  Ｃｏｍｍｕｎｉｃａｔｉｏｎ  ｉｎ  ａ  Ｍｕｌｔｉｐｌｅ  Ｉｎｐｕｔ  Ｍｕｌｔｉｐｌｅ  Ｏｕｔｐｕｔ  Ｃｏｍｍｕｎｉｃａｔｉｏｎ  Ｓｙｓｔｅｍ  ｗｉｔｈ  Ｌｏｗｅｒ  Ｏｒｄｅｒ  Ｒｅｃｅｉｖｅｒｓ」、および米国特許出願、名称「Ｍｅｔｈｏｄｓ  ａｎｄ  Ａｐｐａｒａｔｕｓ  ｆｏｒ  Ｂａｃｋｗａｒｄｓ  Ｃｏｍｐａｔｉｂｌｅ  Ｃｏｍｍｕｎｉｃａｔｉｏｎ  ｉｎ  ａ  Ｍｕｌｔｉｐｌｅ  Ａｎｔｅｎｎａ  Ｃｏｍｍｕｎｉｃａｔｉｏｎ  Ｓｙｓｔｅｍ  Ｕｓｉｎｇ  Ｔｉｍｅ  Ｏｒｔｈｏｇｏｎａｌ  Ｓｙｍｂｏｌｓ」にも関係する。
【背景技術】
【０００２】
本発明は、一般的には、無線通信システムに関し、より具体的には、複数アンテナ通信システムについてチャネル推定を可能にするフレーム構造に関する。
ＯＦＤＭ変調に基づくほとんどの既存無線ローカル・エリア・ネットワーク（ＷＬＡＮ）システムは、ＩＥＥＥ８０２．１１ａ規格またはＩＥＥＥ８０２．１１ｇ規格（これ以後「ＩＥＥＥ８０２．１１ａ／ｇ」）に準拠する。たとえば、参照によって本明細書に組み込まれている、ＩＥＥＥ規格８０２．１１ａ−１９９９、「Ｐａｒｔ１１」：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）Ｓｐｅｃｉｆｉｃａｔｉｏｎ：Ｈｉｇｈ−Ｓｐｅｅｄ  Ｐｈｙｓｉｃａｌ  Ｌａｙｅｒ  ｉｎ  ｔｈｅ  ＧＨｚ  Ｂａｎｄ］を参照されたい。複数高分解能テレビジョン・チャネルなど、発展する応用分野を支援するために、ＷＬＡＮシステムは、さらに増大しつつあるデータ率を支援することができなければならない。したがって、次世代ＷＬＡＮシステムは、頑強性および容量の増大を提供すべきである。
【０００３】
複数の送信アンテナおよび受信アンテナが、頑強性および容量の両方の増大を提供するために提案された。頑強性の増大は、複数アンテナを有するシステムにおいて導入される空間多様性および追加利得を利用する技法により達成することができる。容量の増大は、帯域幅効率のよい複数入力複数出力（ＭＩＭＯ）技法で複数経路フェーディング環境において達成することができる。
【０００４】
ＭＩＭＯ−ＯＦＤＭシステムは、複数の送信アンテナ上において別々のデータ・ストリームを送信し、各受信器が、複数受信アンテナ上においてこれらのデータ・ストリームの組合わせを受信する。しかし、受信器において異なるデータ・ストリームを区別して、適切に受信することは、困難である。様々なＭＩＭＯ−ＯＦＤＭ復号技法が既知であるが、一般に、正確なチャネル推定の利用可能性に依存する。ＭＩＭＯ−ＯＦＤＭ復号技法の詳細な議論については、たとえば、参照によって本明細書に組み込まれている、Ｐ．Ｗ．ウォルニアンスキ（Ｗｏｌｎｉａｎｓｋｙ）ら、「Ｖ−Ｂｌａｓｔ：Ａｎ  Ａｒｃｈｉｔｅｃｔｕｒｅ  ｆｏｒ  Ｒｅａｌｉｚｉｎｇ  Ｖｅｒｙ  Ｈｉｇｈ  Ｄａｔａ  Ｒａｔｅｓ  Ｏｖｅｒ  ｔｈｅ  Ｒｉｃｈ−Ｓｃａｔｔｅｒｉｎｇ  Ｗｉｒｅｌｅｓｓ  Ｃｈａｎｎｅｌ」、１９９８  ＵＲＳＩ  Ｉｎｔｅｒｎａｔｉｏｎａｌ  Ｓｙｍｐｏｓｉｕｍ  ｏｎ  Ｓｉｇｎａｌｓ，Ｓｙｓｔｅｍｓ，ａｎｄ  Ｅｌｅｃｔｒｏｎｉｃｓ（１９９８年９月）を参照されたい。
【０００５】
異なるデータ・ストリームを適切に受信するために、ＭＩＭＯ−ＯＦＤＭ受信器は、トレーニングによりチャネル・マトリックスを獲得しなければならない。これは、同期およびチャネル推定技法を実施するために、一般に、特定のトレーニング・シンボルまたはプリアンブルを使用することによって達成される。トレーニング・シンボルは、システムの全オーバーヘッドを増大させる。さらに、ＭＩＭＯ−ＯＦＤＭシステムは、Ｎｔを送信器の数、Ｎｒを受信器の数として、全体でＮｔＮｒのチャネル要素を推定する必要があり、これにより、長トレーニング長のＮｔが増大することがある。
【特許文献１】米国仮出願第６０／４８３７１９号、２００３年６月３０日出願
【特許文献２】米国仮出願第６０／５３８５６７号、２００４年１月２３日出願
【特許文献３】米国特許出願、名称「Ｍｅｔｈｏｄ  ａｎｄ  Ａｐｐａｒａｔｕｓ  ｆｏｒ  Ｃｏｍｍｕｎｉｃａｔｉｎｇ  Ｓｙｍｂｏｌｓ  ｉｎ  ａ  Ｍｕｌｔｉｐｌｅ  Ｉｎｐｕｔ  Ｍｕｌｔｉｐｌｅ  Ｏｕｔｐｕｔ  Ｃｏｍｍｕｎｉｃａｔｉｏｎ  Ｓｙｓｔｅｍ  Ｕｓｉｎｇ  Ｄｉａｇｏｎａｌ  Ｌｏａｄｉｎｇ  ｏｆ  Ｓｕｂｃａｒｒｉｅｒｓ  Ａｃｒｏｓｓ  ａ  Ｐｌｕｒａｌｉｔｙ  ｏｆ  Ａｎｔｅｎｎａｓ」
【特許文献４】米国特許出願、名称「Ｍｅｔｈｏｄｓ  ａｎｄ  Ａｐｐａｒａｔｕｓ  ｆｏｒ  Ｂａｃｋｗａｒｄｓ  Ｃｏｍｐａｔｉｂｌｅ  Ｃｏｍｍｕｎｉｃａｔｉｏｎ  ｉｎ  ａ  Ｍｕｌｔｉｐｌｅ  Ｉｎｐｕｔ  Ｍｕｌｔｉｐｌｅ  Ｏｕｔｐｕｔ  Ｃｏｍｍｕｎｉｃａｔｉｏｎ  Ｓｙｓｔｅｍ  ｗｉｔｈ  Ｌｏｗｅｒ  Ｏｒｄｅｒ  Ｒｅｃｅｉｖｅｒｓ」
【特許文献５】米国特許出願、名称「Ｍｅｔｈｏｄｓ  ａｎｄ  Ａｐｐａｒａｔｕｓ  ｆｏｒ  Ｂａｃｋｗａｒｄｓ  Ｃｏｍｐａｔｉｂｌｅ  Ｃｏｍｍｕｎｉｃａｔｉｏｎ  ｉｎ  ａ  Ｍｕｌｔｉｐｌｅ  Ａｎｔｅｎｎａ  Ｃｏｍｍｕｎｉｃａｔｉｏｎ  Ｓｙｓｔｅｍ  Ｕｓｉｎｇ  Ｔｉｍｅ  Ｏｒｔｈｏｇｏｎａｌ  Ｓｙｍｂｏｌｓ」
【非特許文献１】ＩＥＥＥ規格８０２．１１ａ−１９９９、「Ｐａｒｔ１１」：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎ：Ｈｉｇｈ−Ｓｐｅｅｄ  Ｐｈｙｓｉｃａｌ  Ｌａｙｅｒ  ｉｎ  ｔｈｅ  Ｆｉｖｅ  ＧＨｚ  Ｂａｎｄ］
【非特許文献２】Ｐ．Ｗ．ウォルニアンスキ（Ｗｏｌｎｉａｎｓｋｙ）ら、「Ｖ−Ｂｌａｓｔ：Ａｎ  Ａｒｃｈｉｔｅｃｔｕｒｅ  ｆｏｒ  Ｒｅａｌｉｚｉｎｇ  Ｖｅｒｙ  Ｈｉｇｈ  Ｄａｔａ  Ｒａｔｅｓ  Ｏｖｅｒ  ｔｈｅ  Ｒｉｃｈ−Ｓｃａｔｔｅｒｉｎｇ  Ｗｉｒｅｌｅｓｓ  Ｃｈａｎｎｅｌ」、１９９８  ＵＲＳＩ  Ｉｎｔｅｒｎａｔｉｏｎａｌ  Ｓｙｍｐｏｓｉｕｍ  ｏｎ  Ｓｉｇｎａｌｓ，Ｓｙｓｔｅｍｓ，ａｎｄ  Ｅｌｅｃｔｒｏｎｉｃｓ（１９９８年９月）
【発明の開示】
【発明が解決しようとする課題】
【０００６】
したがって、周波数領域または時間領域において直交する信号を使用してＭＩＭＯ−ＯＦＤＭシステムにおいてチャネル推定およびトレーニングを実施する方法およびシステムが必要である。さらに、現行ＩＥＥＥ８０２．１１ａ／ｇ規格（ＳＩＳＯ）システムと互換性のあるＭＩＭＯ−ＯＦＤＭシステムにおいてチャネル推定およびトレーニングを実施して、ＭＩＭＯ−ＯＦＤＭベースＷＬＡＮシステムがＳＩＳＯシステムと効率的に共存することを可能にする方法およびシステムが必要である。
【課題を解決するための手段】
【０００７】
一般的に、低次受信器（すなわち、送信器よりアンテナの数が少ない受信器）によってシンボルを解釈することができるように、フレーム構造に従って複数アンテナ通信システムにおいてシンボルを送信する方法および装置が開示される。開示されるフレーム構造は、Ｎ送信アンテナのそれぞれの上において送信される少なくとも１つの長トレーニング・シンボルおよび少なくとも１つの追加の長トレーニング・シンボルを有するレガシ・プリアンブルを備える。レガシ・プリアンブルは、たとえば、少なくとも１つの短トレーニング・シンボル、少なくとも１つの長トレーニング・シンボル、および少なくとも１つのＳＩＧＮＡＬ場を含む８０２．１１ａ／ｇプリアンブルとすることが可能である。
【０００８】
長トレーニング・シンボルのサブキャリアは、複数のサブキャリア・グループにグループ分けされ、各サブキャリア・グループは、所与の時間間隔において異なる送信アンテナ上で送信される。サブキャリアのグループ化は、たとえば、ブロッキングまたはインタリービングの技法に基づくことが可能である。各送信アンテナは、Ｎの長トレーニング・シンボルを送信する。所与の送信アンテナによって送信されたサブキャリア・グループは、各送信アンテナが長トレーニング・シンボルの各サブキャリアを１度だけ送信するように、所与の送信アンテナによって送信されたＮの長トレーニング・シンボルのそれぞれについて変更される。
【０００９】
本発明の一態様によれば、Ｎの送信アンテナのそれぞれの上における長トレーニング・シンボルのそれぞれのシーケンスは、周波数領域では直交する。このようにして、本発明による送信器は、低次受信器と後方互換性であることが可能であり、低次受信器は、送信シンボルを解釈して、適切な持続時間中、遅延させることができる。
本発明のより完全な理解、ならびに本発明の他の特徴および利点が、以下の詳細な記述および図面を参照することによって得られるであろう。
【発明を実施するための最良の形態】
【００１０】
本発明は、後方互換性ＭＩＭＯ−ＯＦＤＭシステムを対象とする。開示されるフレーム構造は、Ｎの送信アンテナのそれぞれの上において送信される少なくとも１つの長トレーニング・シンボルおよび少なくとも１つの追加の長トレーニング・シンボルを有するレガシ・プリアンブルを備える。ＩＥＥＥ８０２．１１ａ／ｇ実施態様では、各長トレーニング・シンボルは、２つの等価なシンボルを備えることに留意されたい。図１は、源信号Ｓ１からＳＮｔ、送信器ＴＲＡＮＳＭＩＴ１からＴＲＡＮＳＭＩＴＮｔ、送信アンテナ１１０−１から１１０−Ｎｔ、受信アンテナ１１５−１から１１５−Ｎｒ、および受信器ＲＸ１からＲＸＮｒを備える例示的なＭＩＭＯ−ＯＦＤＭシステム１００を示す。ＭＩＭＯ−ＯＦＤＭシステム１００は、複数の送信アンテナ１１０上において別々のデータ・ストリームを送信し、各受信器ＲＸは、これらのデータ・ストリームの組合わせを受信する。異なるデータ・ストリームＳ１からＳＮｔを抽出および検出するために、ＭＩＭＯ−ＯＦＤＭ受信器ＲＸは、図１に示されるように、トレーニングによりチャネル行列Ｈを得なければならない。
【００１１】
ＩＥＥＥ８０２．１１ａ／ｇ規格は、短トレーニング・シンボルおよび長トレーニング・シンボルからなるＯＦＤＭベース無線ローカル・エリア・ネットワーク・システムについて、周波数領域においてプリアンブルを規定する。短トレーニング・シンボルは、フレーム検出、自動利得制御（ＡＧＣ）、および粗同期に使用することができる。長トレーニング・シンボルは、微同期およびチャネル推定に使用することができる。ＩＥＥＥ８０２．１１ａ／ｇ規格による長トレーニング・シンボルは、５２のサブキャリアが実際に使用される６４のサブキャリアからなり、図２に示されるように規定される。図３は、図２のＩＥＥＥ８０２．１１ａ／ｇ長トレーニング・シンボルの周波数領域表示を示す。
【００１２】
ＭＩＭＯ−ＯＦＤＭシステムの理想的なトレーニング・シンボルは、周波数領域または時間領域において直交する。本発明の一態様によれば、ＩＥＥＥ８０２．１１ａ／ｇ規格の長トレーニング・シンボルは、異なる送信アンテナにわたって長トレーニング・シンボルの様々なサブキャリアを分割することによって、周波数直交とされる。
【００１３】
後方互換性
ＭＩＭＯ−ＯＦＤＭシステムは、既存システムと共存するように、現行のＩＥＥＥ８０２．１１ａ／ｇ規格に対して後方互換性であることが必要であることが好ましいが、その理由は、同じ共有無線媒体において動作するからである。本明細書において開示されるＭＩＭＯ−ＯＦＤＭシステムにおけるＩＥＥＥ８０２．１１ａ／ｇ長トレーニング・シンボルの使用は、後方互換性であり、かつＩＥＥＥ８０２．１１ａ／ｇシステムおよび他の次数（すなわち、異なる数の受信器／送信器を備える）のＭＩＭＯ−ＯＦＤＭシステムと共存することができるＭＩＭＯ−ＯＦＤＭシステムを提供する。本明細書において使用される際に、後方互換性は、ＭＩＭＯ−ＯＦＤＭシステムが、（ｉ）現行規格を支援する、（ｉｉ）ＭＩＭＯ−ＯＦＤＭ送信の持続時間中、（選択的に）遅延させる（または待機する）ことができることが必要であることを意味する。ＭＩＭＯフォーマットにおいて送信されたデータを受信することができないＮｒの受信アンテナ、または他の数の受信アンテナを有するあらゆるシステムが、送信持続時間中、遅延させることができるが、その理由は、送信の開始を検出し、長トレーニング・シンボルに続くＳＩＧＮＡＬ場に含まれているこの送信の長さ（持続時間）を取り出すことができるからである。
【００１４】
長トレーニング・シンボルを使用するＭＩＭＯ−ＯＦＤＭシステム１００が、２つの方式でＩＥＥＥ８０２．１１ａ／ｇシステムと後方互換式に通信することができる。第１に、ＩＥＥＥ８０２．１１ａ／ｇ規格に従ってデータを送信するために、１つのアンテナに縮小することが可能である。第２に、ＩＥＥＥ８０２．１１ａ／ｇ受信器は、通常のＯＦＤＭフレームとして、すべての活動送信器からのＭＩＭＯ送信を解釈することができる。すなわち、ＩＥＥＥ８０２．１１ａ／ｇ受信器は、ＩＥＥＥ８０２．１１ａ／ｇ受信器が、ＭＩＭＯ送信の持続時間中、遅延させることを可能にする方式で、データのＭＩＭＯ送信を解釈することができる。適切な遅延機構のより詳細な議論については、たとえば、参照によって本明細書に組み込まれている、米国特許出願、名称「Ｍｅｔｈｏｄｓ  ａｎｄ  Ａｐｐａｒａｔｕｓ  ｆｏｒ  Ｂａｃｋｗａｒｄｓ  Ｃｏｍｐａｔｉｂｌｅ  Ｃｏｍｍｕｎｉｃａｔｉｏｎ  ｉｎ  ａ  Ｍｕｌｔｉｐｌｅ  Ｉｎｐｕｔ  Ｍｕｌｔｉｐｌｅ  Ｏｕｔｐｕｔ  Ｃｏｍｍｕｎｉｃａｔｉｏｎ  Ｓｙｓｔｅｍ  ｗｉｔｈ  Ｌｏｗｅｒ  Ｏｒｄｅｒ  Ｒｅｃｅｉｖｅｒｓ」を参照されたい。
【００１５】
異なる送信アンテナ上において反復されるＩＥＥＥ８０２．１１ａ／ｇプリアンブル構造の少なくとも１つの長トレーニング場を使用するＭＩＭＯシステムは、後方互換性を達成するために、１アンテナ構成に縮小することができる。いくつかの変形形態が、長トレーニング・シンボルを直交させるために可能である。一変形形態では、長トレーニング・シンボルは、上記で記述された方式で、様々な送信アンテナにわたって対角的にロードすることができる。他の変形形態では、８０２．１１ａ長トレーニング・シーケンスは、各アンテナ上において時間について反復される。たとえば、２つのアンテナの実施態様では、信号場が続く長トレーニング・シーケンスが、第１アンテナ上において送信され、これに続いて、長トレーニング・シーケンスが第２アンテナ上で送信される。他の変形形態は、時間領域における直交性に基づくＭＩＭＯ−ＯＦＤＭプリアンブル構造を使用する。
【００１６】
本発明の一態様によれば、長トレーニング・シンボルのサブキャリアは、Ｎｔのグループ（Ｎｔは送信ブランチの数である）に分割され、各サブキャリア・グループは、所与の時間スロットにおいて異なる送信アンテナ上において送信される。長トレーニング・シンボルのサブキャリアは、様々な方式でＮｔの別々のサブキャリアのグループに分割することができる。本明細書において議論される様々な実施形態において、サブキャリアは、ブロッキング技法またはインタリービング技法を使用してグループ化される。Ｎｔのグループのそれぞれのサイズは、等しい必要はないことに留意されたい。
【００１７】
レガシＷＬＡＮシステムと後方互換性である１つの例示的な実施態様では、長トレーニング・シンボルは、ＩＥＥＥ８０２．１１ａ／ｇ長トレーニング・シンボルの周波数領域内容に基づく。開示されるスキームは、Ｎｔをシステムの送信アンテナ数として、Ｎｔの長トレーニング・シンボルを使用する。周波数領域直交性は、たとえば、８０２．１１ａ／ｇ長トレーニング・シンボル５１０の５２周波数ビンの周波数領域内容をＮｔのグループに分割することによって達成することができる。したがって、受信器によって受信される集団信号は、８０２．１１ａ／ｇ長トレーニング・シンボル５１０、ならびに追加の長トレーニング・シンボル５２０（低次受信器によって理解されない場合、無視することができる）である。
【００１８】
図５は、２つの送信アンテナを有する例示的な実施態様について、本発明の特徴を組み込むＦＤＭベース・プリアンブル構造５００を示す。ＦＤＭベース・プリアンブル構造５００は、周波数領域における直交性に基づく。例示的な２つの送信アンテナの実施態様では、ＦＤＭベース・プリアンブル構造５００は、第１送信器について第１長トレーニング・シンボルのサブキャリアの半分をグループ化することと、第２送信器について第１長トレーニング・シンボルのサブキャリアの半分をグループ化することとを備える。次いで、このプロセスは、第２長トレーニング・シンボルについて反転される。ＳＩＧＮＡＬ場は、後方互換性であるために、第１長トレーニング・シンボルと同じ方式で送信される必要があることに留意されたい。
【００１９】
異なる送信アンテナは、直交性を維持するために、異なるサブキャリアの別個のグループを使用して、各長トレーニング・シンボルを構築する。各送信アンテナは、後続の長トレーニング信号を構築するために、次のサブキャリア・グループに周期的に移行する。これは、最後の長トレーニング・シンボル（番号Ｎｔ）が構築されるまで続行される。このようにして、周波数直交性は、各長トレーニング・シンボルについて維持され、一方、各送信アンテナは、すべての送信器からすべての受信器までの全チャネルのチャネル推定を支援するように、プロセスの終了時に全周波数範囲を網羅する。
【００２０】
図６は、Ｎｔの送信アンテナを有する例示的な実施態様について、本発明の特徴を組み込むＦＤＭベース・プリアンブル構造６００を示す。例示的なプリアンブル構造６００は、２つ以上の送信アンテナが使用されるとき、必要な追加の情報を含む２つのＳＩＧＮＡＬ場を含む。長トレーニング・シンボルの構築は、ＩＥＥＥ８０２．１１ａ／ｇ規格において記述されるＩＦＦＴ、周期的接頭辞、およびウィンドウ化を適用することによって実施されることに留意されたい。さらに、ＩＦＦＴ動作が線形であるので、すべてのＮｔの送信器によって送信される複合時間領域長トレーニング信号は、ＳＩＳＯ−ＯＦＤＭシステムの場合に単一アンテナによって送信される時間領域長トレーニング信号に等しいことに留意されたい。
【００２１】
ブロック化サブキャリア・グループ
図７は、本発明のブロック化サブキャリア・グループ化実施態様によるＦＤＭ長トレーニング・シンボルを示す。図７において示されるように、例示的な実施形態の各長トレーニング・シンボルは、Ｎｔのグループに分割される５２の活動サブキャリアを含む。本発明のブロック化サブキャリア・グループ化実施態様では、サブキャリアは、連続または隣接するサブキャリアに基づいてグループ化される。例示的な実施形態では、サブキャリアの各グループは、４に等しいＮｔについて、１３｛５２／Ｎｔ｝の隣接サブキャリアを含む。
【００２２】
図７に示されるように、第１長トレーニング・シンボルは、４つのサブキャリア・グループ７１０−１から７１０−４（それぞれ、１３の隣接サブキャリアを含む）に分割される。本発明の長トレーニング・シンボル・スキームの他の特徴によれば、所与の送信ブランチによって送信されるサブキャリア・グループは、Ｎの長トレーニング・シンボルの送信後、各送信ブランチＴＸｎが、長トレーニング・シンボルの各サブキャリアを１回のみ送信するように、Ｎの長トレーニング・シンボルのそれぞれについて変更される。すなわち、第１送信ブランチについてＴＸ１では、第１サブキャリア・グループは、第１長トレーニング・シンボルにおいて送信され、第２サブキャリア・グループは、第２長トレーニング・シンボルにおいて送信され、第３サブキャリア・グループは、第３長トレーニング・シンボルにおいて送信され、第４サブキャリア・グループは、第４長トレーニング・シンボルにおいて送信される。同様に、第２送信ブランチＴＸ２では、図７に示されるように、第２サブキャリア・グループは、第１長トレーニング・シンボルにおいて送信される、などである。
【００２３】
偶数の送信ブランチでは、すべてのグループが、同数のサブキャリア（５２／Ｎｔに等しい）を有し、奇数の送信ブランチでは、すべてのグループが、同数のサブキャリアを有するわけではなく、５２／Ｎｔに近い数を有するが、依然として周波数領域直交性を維持し、全体ですべての５２のサブキャリアを含む。
【００２４】
６４のサブキャリアのうち５２を使用する周波数領域のレガシ長トレーニング・シンボルが、図２に示されるようなものである場合、４つの送信アンテナのＭＩＭＯシステムの場合、ｎ番目の送信アンテナから送信されたｍ番目の長トレーニング・シンボルの長トレーニング・シンボルは、以下のように表される。
【数１】
2007529143.tif 000003
上式で、Ｐｎｍは、以下によって与えられるサブキャリアのグループ数（０からＮｔ−１）である。
Ｐｎｍ＝［（ｎ−１）＋（ｍ−１）］ｍｏｄＮｔ  （５）
上式で、ｎは送信アンテナ指標（１・・・Ｎｔ）、ｍは長トレーニング・シンボル番号（１・・・Ｎｔ）である。
インタリーブ化サブキャリア・グループ
【００２５】
図８は、本発明のインタリーブ化サブキャリア・グループ化実施態様によるＦＤＭ長トレーニング・シンボルを示す。図８に示されるように、例示的な実施形態の各長トレーニング・シンボルは、Ｎｔのグループに分割される５２の活動サブキャリアを含む。本発明のインタリーブ化サブキャリア・グループ化実施態様では、サブキャリアは、Ｎｔ番目ごとのサブキャリアを含むパターンに基づいてグループ化される。たとえば、４つの送信ブランチの実施態様では、第１、第５、第９、・・・、第４９のサブキャリアは、第１サブキャリア・グループに含まれる。示される実施形態では、サブキャリアの各グループは、１３｛５２／Ｎｔ｝（４に等しいＮｔについて）のサブキャリアを含み、グループの各サブキャリアは、Ｎｔによって分離される。このようにして、すべてのＮｔのグループのサブキャリアは、インタリーブ化される。
【００２６】
本発明の長トレーニング・シンボル・スキームは、当業者には明らかであるように、任意の数の送信アンテナ、サブキャリア、帯域幅制約、およびグループ化スキームを支援する。
【００２７】
図９は、本発明の特徴を組み込む例示的なＭＩＭＯ−ＯＦＤＭ受信器９００のブロック図である。図９に示されるように、ＭＩＭＯ−ＯＦＤＭ受信器９００は、複数の受信アンテナ９１５−１から９１５−Ｎｒ、および受信ブランチＲＸ１からＲＸＮｒを含む。時間および周波数の同期が、ステージ９２０において実施され、同期受信信号は、周期的接頭辞を除去するステージ９２５およびチャネル推定ステージ９３５に加えられる。周期的接頭辞がステージ９２５において除去された後、高速フーリエ変換（ＦＦＴ）が、ステージ９３０において実施される。検出および復号ブロック９４５が、チャネル推定９３５を使用して、ＭＩＭＯ検出（Ｎｃのサブキャリアについて）、位相ドリフトおよび振幅ドループ訂正、デマッピング、デインタリービング、デパンチュリング（ｄｅｐｕｎｔｕｒｉｎｇ）、ならびに復号を実施する。
【００２８】
ＭＩＭＯ−ＯＦＤＭ受信器９００は、以下のように、ＦＤＭ長トレーニング・シンボルおよびＳＩＧＮＡＬ場の検出を有する後方互換性チャネル推定９３５を実施することができる。
１．ＳＮＲについて３ｄＢを得るために、第１長トレーニング（ＬＴ）の２つの長トレーニング・シンボル（ＬＴＳ）を追加する。
２．結果的な長トレーニング・シンボルを周波数領域に変形する。
３．長トレーニング・シンボルを復調して、部分チャネル推定を得る。
４．ＳＩＧＮＡＬ場を周波数領域に変形する。
５．部分チャネル推定を使用して、ＳＩＧＮＡＬ場を検出および復号する。
６．部分チャネルの他の推定を得るために、ＳＩＧＮＡＬ場を復調する。
７．復調されたＳＩＧＮＡＬ場を合計して、復調トレーニング・シンボルにスケーリングし（不完全なチャネル推定になる）、ＳＮＲについて１．８ｄＢをさらに得る。
８．残りの長トレーニング・シーケンス（ＬＴ）について、ステップ１から３を実施する。
９．追加のＳＩＧＮＡＬ場が続く任意の長トレーニング・シーケンスの場合、ステップ４から７を実施する。
１０．完全チャネルの推定に到達するように、すべての部分チャネルの推定を追加する。
【００２９】
チャネル推定は、ＭＩＭＯ−ＯＦＤＭ受信器側において実施され、タイミングおよび周波数の同期後に行われる。受信器において、ＮｒのＭＩＭＯ−ＯＦＤＭ受信器のそれぞれは、送信器によって使用されるＦＤＭ長トレーニング・スキームの経験的知識に基づいて、すべてのＮｔ送信アンテナに対して実際のチャネル推定を構成することができる。各受信器は、異なる送信器に属する各チャネルの別個の部分を抽出するために、ＦＦＴおよびサブキャリア復調を使用して、ＳＩＳＯ−ＯＦＤＭの場合と同様の方式で、各長トレーニング・シンボルを処理する。次のステップは、各送信器について完全チャネルを構成するために、同じ送信器に属するチャネル部分を収集することである。４つの送信アンテナのＭＩＭＯシステムの例が、以下において与えられる。
【００３０】
一般に、サブキャリアあたりの周波数領域のＭＩＭＯ受信信号は、以下のように、行列ベクトル表記で表すことができる。
ｒ＝Ｈｓ＋ｎ  （６）
４×４ＭＩＭＯシステムでは、行列ベクトル表記は、以下のように表される。
【数２】
2007529143.tif 000004
【００３１】
すべての受信ＦＤＭ長トレーニングから各サブキャリアについてチャネル推定行列Ｈを構築するために、各受信器によって行われるプロセスは、第１受信器について図１０Ａおよび１０Ｂに示される。図１０Ａは、受信器によって周波数ブロックを再構成する前のチャネル推定を示す。図１０Ｂは、受信器によって周波数ブロックを再構成した後のチャネル推定を示す。図１０Ａおよび１０Ｂでは、周波数軸は、送信器によって使用される同じＮｔサブキャリア・グループに分割され（図７および８参照）、時間軸は、Ｎｔの長トレーニング・シンボルの送信を支援するように、同じＮｔの時間スロットに分割される。
【００３２】
プリアンブルは、現行８０２．１１ａ／ｇベース・システムと後方互換性にすることができる。後方互換性であるために、８０２．１１ａ／ｇに基づくシステムは、プリアンブルを検出して、パケットのＳＩＧＮＡＬ場を解釈することができることが必要である。これは、第１長トレーニング・シンボルならびに異なる送信アンテナからのＳＩＧＮＡＬ場の送信について使用される同じＦＤＭスキームを使用して達成される。ＭＩＭＯ送信についてＳＩＧＮＡＬ場において規定される長さは、パケットの実際の持続時間に等しくあるはずであり、それにより、８０２．１１ａ／ｇに基づくシステムは、ＭＩＭＯ送信持続時間中、遅延させることができる。ＭＩＭＯシステムは、これをバイトで表されたパケットの実際の長さに変換することができることが必要である。このために、ＭＩＭＯシステムは、追加の情報を有さなければならず、この情報は、ＳＩＧＮＡＬ場において、または後方互換性ＷＬＡＮ  ＭＩＭＯ−ＯＦＤＭシステムでは望ましくない可能性がある別の追加の第２ＳＩＧＮＡＬ場（図６参照）において、予約ビットにおいて含むことができる。
【００３３】
適切な遅延機構のより詳細な議論については、たとえば、参照によって本明細書に組み込まれている、米国特許出願、名称「Ｍｅｈｏｔｄｓ  ａｎｄ  Ａｐｐａｒａｔｕｓ  ｆｏｒ  Ｂａｃｋｗａｒｄｓ  Ｃｏｍｐａｔｉｂｌｅ  Ｃｏｍｍｕｎｉｃａｔｉｏｎ  ｉｎ  ａ  Ｍｕｌｔｉｐｌｅ  Ｉｎｐｕｔ  Ｍｕｌｔｉｐｌｅ  Ｏｕｔｐｕｔ  Ｃｏｍｍｕｎｉｃａｔｉｏｎ  Ｓｙｓｔｅｍ  ｗｉｔｈ  Ｌｏｗｅｒ  Ｏｒｄｅｒ  Ｒｅｃｅｉｖｅｒｓ」を参照されたい。
【００３４】
さらに、ＦＤＭ長トレーニング・シンボルおよびＳＩＧＮＡＬ場に基づくＭＩＭＯ−ＯＦＤＭシステムは、異なるＭＩＭＯ構成に対してスケーラブルとすることができる。たとえば、３つの送信アンテナを有するＭＩＭＯ−ＯＦＤＭシステムは、２つの送信アンテナを有するＭＩＭＯ−ＯＦＤＭシステムに容易に縮小することができる。さらに、わずかに２つの受信アンテナを有するＭＩＭＯ−ＯＦＤＭシステムは、チャネルをトレーニングして、３つの送信アンテナでのＭＩＭＯ−ＯＦＤＭ送信のＳＩＧＮＡＬ場を解釈することができ、したがって、パケットの持続時間中、遅延させることができる。したがって、ＭＩＭＯ−ＯＦＤＭシステムは、８０２．１１ａ／ｇシステムおよび低次ＭＩＭＯ−ＯＦＤＭシステムと共存する。共存が満たされる場合、送信データを受信することができないＮｒの受信アンテナを有するあらゆるシステムが、送信の持続時間中、遅延させることができるが、その理由は、送信の開始を検出して、ＳＩＧＮＡＬ場からこの送信の長さ（持続時間）を取り出すことができるからである。さらに、ＭＩＭＯ−ＯＦＤＭシステムは、後方互換式に８０２．１１ａ／ｇシステムと２つの方式で通信することができる。第１に、システムを１つのアンテナに縮小することが可能である。第２に、ＦＤＭ方式でも異なるアンテナ上においてデータをロードすることが可能である。
【００３５】
ＦＤＭ  ＳＩＧＮＡＬ場は、別の利点を有する。すなわち、第３長トレーニング・シンボルとして作用するように使用することができる。ＳＩＧＮＡＬ場は、常に、良好な受信を容易にする同じ頑強な方式で変調および符号化される。ＭＩＭＯ送信のＳＩＧＮＡＬ場は、さらにより頑強であるが、その理由は、ＳＩＧＮＡＬ場は、複数のアンテナによって受信され、したがって、最適な方式で組み合わせることができるからである。ＳＩＧＮＡＬ場を他の長トレーニング・シンボルとして使用することは、良好に受信する可能性が非常に高いので、実施可能な解決法である。
【００３６】
本明細書において示され、かつ記述された実施形態および変形形態は、本発明の原理の単なる例示であり、また、当業者なら、本発明の範囲および趣旨から逸脱せずに、様々な修正を実施することができることを理解されたい。
【図面の簡単な説明】
【００３７】
【図１】Ｎｔの送信器、Ｎｒの受信器からなる従来の複数アンテナ通信システムを示す図である。
【図２】逆高速フーリエ変換（ＩＦＦＴ）の入力において見た、６４のサブキャリアからなるＩＥＥＥ８０２．１１ａ／ｇ規格による従来の長トレーニング・シンボルを示す図である。
【図３】従来のＩＥＥＥ８０２．１１ａ／ｇ規格の長トレーニング・シンボルの周波数領域表示を示す図である。
【図４】従来のＩＥＥＥ８０２．１１ａ／ｇプリアンブル構造を示す図である。
【図５】２つの送信アンテナを有する例示的な実施態様について、本発明の特徴を組み込むＦＤＭベース・プリアンブル構造を示す図である。
【図６】Ｎｔの送信アンテナを有する例示的な実施態様について、本発明の特徴を組み込むＦＤＭベース・プリアンブル構造を示す図である。
【図７】本発明のブロック化サブキャリア・グループ化実施態様によるＦＤＭ長トレーニング・シンボルを示す図である。
【図８】本発明のインタリーブ化サブキャリア・グループ化実施態様によるＦＤＭ長トレーニング・シンボルを示す図である。
【図９】本発明の特徴を組み込む例示的なＭＩＭＯ−ＯＦＤＭ受信器のブロック図である。
【図１０Ａ】受信器によって周波数ブロックを再構成する前のチャネル推定を示す図である。
【図１０Ｂ】受信器によって周波数ブロックを再構成した後のチャネル推定を示す図である。
【図１】
2007529143.tif 000005
【図２】
2007529143.tif 000006
【図３】
2007529143.tif 000007
【図４】
2007529143.tif 000008
【図５】
2007529143.tif 000009
【図６】
2007529143.tif 000010
【図７】
2007529143.tif 000011
【図８】
2007529143.tif 000012
【図９】
2007529143.tif 000013
【図１０Ａ】
2007529143.tif 000014
【図１０Ｂ】
2007529143.tif 000015
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
Ｎの送信アンテナを有する複数アンテナ通信システムにおいてデータを送信する方法であって、
前記Ｎの送信アンテナのそれぞれの上において、少なくとも１つの長トレーニング・シンボルおよび少なくとも１つの追加の長トレーニング・シンボルを有するレガシ・プリアンブルを送信し、前記長トレーニング・シンボルのそれぞれが、複数のサブキャリアを有し、前記サブキャリアが、複数のサブキャリアのグループにグループ化され、各サブキャリア・グループが、所与の時間間隔において異なる送信アンテナ上において送信される工程を含む、方法。
【請求項２】
前記グループ化が、１つまたは複数のブロッキング技法およびインタリービング技法に基づく請求項１に記載の方法。
【請求項３】
前記送信アンテナのそれぞれが、全体でＮの長トレーニング・シンボルを送信する、請求項１に記載の方法。
【請求項４】
前記Ｎの送信アンテナのそれぞれの上における前記長トレーニング・シンボルのそれぞれのシーケンスが直交する、請求項１に記載の方法。
【請求項５】
前記レガシ・プリアンブルが、少なくとも１つの短トレーニング・シンボルおよび少なくとも１つのＳＩＧＮＡＬ場の１つまたは複数をさらに含む、請求項１に記載の方法。
【請求項６】
前記長トレーニング・シンボルのそれぞれが、周波数領域において直交する、請求項１に記載の方法。
【請求項７】
低次受信器が、前記送信データを解釈することができる、請求項１に記載の方法。
【請求項８】
複数アンテナ通信システムにおける送信器であって、
少なくとも１つの長トレーニング・シンボルおよび少なくとも１つの追加の長トレーニング・シンボルを有するレガシ・プリアンブルをＮの送信アンテナのそれぞれの上において送信するためのＮの送信アンテナを備え、前記長トレーニング・シンボルのそれぞれが、複数のサブキャリアを有し、前記サブキャリアが、複数のサブキャリア・グループにグループ化され、各サブキャリア・グループが、所与の時間間隔において異なる送信アンテナ上において送信される、送信器。
【請求項９】
前記グループ化が、ブロッキング技法およびインタリービング技法の１つまたは複数に基づく、請求項８に記載の送信器。
【請求項１０】
前記Ｎの送信アンテナのそれぞれの上における前記長トレーニング・シンボルのそれぞれのシーケンスが直交する、請求項８に記載の送信器。
【請求項１１】
前記長トレーニング・シンボルのそれぞれが、周波数領域において直交する、請求項８に記載の送信器。
【請求項１２】
複数アンテナ通信システムにおいてＮの送信アンテナを有する送信器によって送信されたデータを少なくとも１つの受信アンテナ上で受信する方法であって、
少なくとも１つの長トレーニング・シンボルおよび前記データの送信の持続時間の表示、ならびに少なくとも１つの追加の長トレーニング・シンボルを有するレガシ・プリアンブルを前記Ｎの送信アンテナのそれぞれの上において受信し、前記長トレーニング・シンボルのそれぞれが、複数のサブキャリアを有し、前記サブキャリアが、複数のサブキャリア・グループにグループ化され、各サブキャリア・グループが、所与の時間間隔において異なる送信アンテナ上において送信される工程と、
前記表示持続時間中、遅延させる工程とを含む、方法。
【請求項１３】
前記方法が、ＳＩＳＯ受信器によって実施される、請求項１２に記載の方法。
【請求項１４】
Ｎの送信アンテナを有する少なくとも１つの送信器を有する複数のアンテナ通信システムにおける受信器であって、
少なくとも１つの長トレーニング・シンボルおよび前記データの送信の持続時間の表示、ならびにＮ−１の追加の長トレーニング・シンボルを有するレガシ・プリアンブルを前記Ｎの送信アンテナのそれぞれの上において受信するための少なくとも１つの受信アンテナであって、前記長トレーニング・シンボルのそれぞれが、複数のサブキャリアを有し、前記サブキャリアが、複数のサブキャリア・グループにグループ化され、各サブキャリア・グループが、所与の時間間隔において異なる送信アンテナ上で送信される、少なくとも１つの受信アンテナと、
前記表示持続時間中、遅延させる手段とを備える、受信器。
【国際調査報告】
2007529143.tif 000016
2007529143.tif 000017